(57)【要約】【課題】  照射角度をフレキシブルに変えることができるコンパクトな照明装置を提供する。【解決手段】  照明装置１において、照明装置本体２を互いに直交する第１、第２の軸線Ｃ１、Ｃ２の回りに回動自在に支持する回動支持ユニット３を設ける。照明装置本体２が回動支持ユニット３を介してベース４に取り付けられる。回動支持ユニット３の第１の軸線Ｃ１に沿って配設された第１の支軸部としてのボルト５０、５１により、照明装置本体２が回動支持ユニット３に対して第１の軸線Ｃ１の回りに回動自在に支持される。また、回動支持ユニット３の第２の軸線Ｃ２に沿って配設された第２の支軸部としての軸部３１により、照明装置本体２および回動支持ユニット３がベース４に対して第２の軸線Ｃ２の回りに回動自在に支持される。【選択図】  図９
2016213071.tif 000002
【特許請求の範囲】
【請求項１】
照明装置において、
照明装置本体と、
前記照明装置本体を軸線の回りに回動自在に支持する回動支持ユニットとを備え、
前記回動支持ユニットが、異なる第１および第２の軸線を有している、
ことを特徴とする照明装置。
【請求項２】
請求項１において、
前記第１および第２の軸線が互いに直交している、
ことを特徴とする照明装置。
【請求項３】
請求項１または２において、
前記照明装置本体が前記回動支持ユニットを介してベースに取り付けられており、前記回動支持ユニットの前記第１の軸線に沿って配設された第１の支軸部により、前記照明装置本体が前記回動支持ユニットに対して前記第１の軸線の回りに回動自在に支持されるとともに、前記回動支持ユニットの前記第２の軸線に沿って配設された第２の支軸部により、前記照明装置本体および前記回動支持ユニットが前記ベースに対して前記第２の軸線の回りに回動自在に支持されている、
ことを特徴とする照明装置。
【請求項４】
請求項３において、
前記第１の軸線の回りの前記照明装置本体の回動角度位置を固定するための第１の固定部材が係止される複数の第１の係止孔が前記第１の軸線回りの円周上に設けられるとともに、前記第１の係止孔が前記第１の軸線の一端側および他端側で軸線方向にオフセットされている、
ことを特徴とする照明装置。
【請求項５】
請求項３において、
前記第２の軸線の回りの前記照明装置本体の回動角度位置を固定するための第２の固定部材が係止される複数の第２の係止孔が前記第２の軸線回りにおいて半径の異なる２つの円周上に設けられており、前記各円周上の前記各第２の係止孔が半径方向に整列していない、
ことを特徴とする照明装置。
【発明の詳細な説明】
【技術分野】
【０００１】
本発明は、照明装置に関し、詳細には、照射角度をフレキシブルに変えられるコンパクトな照明装置に関する。
【背景技術】
【０００２】
ＬＥＤ照明装置として、たとえば特開２０１０−９２６９４号公報に示すようなものが本願出願人により提案されている。同公報に記載のＬＥＤ照明装置は、ＬＥＤユニットが収容された筺体本体と、その開口部を閉塞するとともに照光用窓部を有する蓋体とを備えている（同公報の段落［００２５］〜［００２８］および図１〜図３参照）。
【発明の概要】
【発明が解決しようとする課題】
【０００３】
上記公報に記載のＬＥＤ照明装置は、天井面や壁面に取り付けて用いられるが、上記従来の構成では、照射角度を自由に変えることができなかった。その一方、近年、ＬＥＤ照明装置のアプリケーションとしては様々な用途があり、使用環境に応じて照射角度を自由に変えることができるものの要請がある。
【０００４】
本発明は、このような従来の実情に鑑みてなされたものであり、本発明が解決しようとする課題は、照射角度をフレキシブルに変えることができるコンパクトな照明装置を提供することにある。また、本発明は、このような照明装置において、照明装置本体の回動角度位置（つまり装置の照射角度）を固定できるようにしたものを提供しようとしている。
【課題を解決するための手段】
【０００５】
本発明に係る照明装置は、照明装置本体と、照明装置本体を軸線の回りに回動自在に支持する回動支持ユニットとを備え、回動支持ユニットが、異なる第１および第２の軸線を有している（請求項１参照）。
【０００６】
本発明によれば、回動支持ユニットにより、照明装置本体が異なる第１、第２の軸線の回りに回動自在に支持されるので、照明装置本体の照射面を様々な向きに向けることができ、照射角度をフレキシブルに変えることができるようになって、より細やかな調整が可能になる。しかも、本発明では、回動支持ユニットが第１および第２の軸線を有しているので、回動支持ユニットをコンパクトに構成でき、これにより、装置全体をコンパクトに構成できる。
【０００７】
本発明では、第１および第２の軸線が互いに直交している（請求項２参照）。
【０００８】
本発明では、照明装置本体が回動支持ユニットを介してベースに取り付けられており、回動支持ユニットの第１の軸線に沿って配設された第１の支軸部により、照明装置本体が回動支持ユニットに対して第１の軸線の回りに回動自在に支持されるとともに、回動支持ユニットの第２の軸線に沿って配設された第２の支軸部により、照明装置本体および回動支持ユニットがベースに対して第２の軸線の回りに回動自在に支持されている（請求項３参照）。
【０００９】
本発明では、第１の軸線の回りの照明装置本体の回動角度位置を固定するための第１の固定部材が係止される複数の第１の係止孔が前記第１の軸線回りの円周上に設けられるとともに、第１の係止孔が第１の軸線の一端側および他端側で軸線方向にオフセットされている（請求項４参照）。
【００１０】
本発明では、第２の軸線の回りの照明装置本体の回動角度位置を固定するための第２の固定部材が係止される複数の第２の係止孔が第２の軸線回りにおいて半径の異なる２つの円周上に設けられており、各円周上の各第２の係止孔が半径方向に整列していない、（請求項５参照）。
【発明の効果】
【００１１】
以上のように、本発明に係る照明装置によれば、照明装置本体を異なる第１、第２の軸線の回りに回動自在に支持する回動支持ユニットを設けたので、当該回動支持ユニットにより、照明装置本体の照射面を様々な向きに向けることができる。これにより、照射角度をフレキシブルに変えることができるようになって、より細やかな調整が可能になる。しかも、本発明では、回動支持ユニットが第１および第２の軸線を有しているので、回動支持ユニットをコンパクトに構成でき、これにより、装置全体をコンパクトに構成できる。
【図面の簡単な説明】
【００１２】
【図１】本発明の一実施例によるＬＥＤ照明装置を、照射面を上に向けた状態で照明装置本体側から見た全体斜視図である。
【図２】前記ＬＥＤ照明装置（図１）をベース側から見た全体斜視図である。
【図３】前記ＬＥＤ照明装置（図１）の平面図である。
【図４】前記ＬＥＤ照明装置（図１）の正面図である。
【図５】前記ＬＥＤ照明装置（図１）の背面図である。
【図６】前記ＬＥＤ照明装置（図１）の底面図である。
【図７】前記ＬＥＤ照明装置（図１）のベース側側面図である。
【図８】前記ＬＥＤ照明装置（図１）の照明装置本体側側面図である。
【図９】前記ＬＥＤ照明装置（図１）の分解組立図である。
【図１０】前記ＬＥＤ照明装置（図１）の組立途中の状態を示す図である。
【図１１】前記ＬＥＤ照明装置（図１）のベースおよびこれに連結された回動支持ユニットの縦断面図である。
【図１２】前記ＬＥＤ照明装置（図１）の照明装置本体がその端部の第１の軸線の回りを上方に４５°回動した状態を示す正面図である。
【図１３】前記ＬＥＤ照明装置（図１２）を上側から見た斜視図である。
【図１４】前記ＬＥＤ照明装置（図１）の照明装置本体がその端部の第１の軸線の回りを上方に９０°回動した状態を示す正面図である。
【図１５】前記ＬＥＤ照明装置（図１）の照明装置本体およびこれに連結された回動支持ユニットが第２の軸線の回りをベース側から見て時計回りに４５°回動した状態を示す斜視図である。
【図１６】前記ＬＥＤ照明装置（図１）の照明装置本体およびこれに連結された回動支持ユニットが第２の軸線の回りをベース側から見て時計回りに９０°回動した状態を示す斜視図である。
【図１７】前記ＬＥＤ照明装置（図１）の照明装置本体およびこれに連結された回動支持ユニットが第２の軸線の回りをベース側から見て反時計回りに９０°回動した状態を示す斜視図である。
【図１８】図４の一部拡大図であって、照明装置本体が第１の軸線の回りを回動する際に機能する第１の角度固定機構を示している。
【図１９】図５の一部拡大図であって、照明装置本体が第１の軸線の回りを回動する際に機能する第１の角度固定機構を示している。
【図２０】図２の一部拡大図であって、照明装置本体が第１の軸線の回りを回動する際に機能する第１のインデキシング機構を示している。
【図２１】図７の拡大詳細図であって、照明装置本体および回動支持ユニットが第２の軸線の回りを回動する際に機能する第２の角度固定機構および第２のインデキシング機構を示している。
【図２２】図２１に示す状態から照明装置本体および回動支持ユニットが第２の軸線の回りをベース側から見て時計回りに４５°回動した状態を示す図である。
【発明を実施するための形態】
【００１３】
以下、本発明の実施例を添付図面に基づいて説明する。
図１ないし図２２は、本発明の一実施例による照明装置を説明するための図である。ここでは、ＬＥＤ照明装置を例にとる。なお、以下の説明文において上方（または上／上部）および下方（または下／下部）とは、図示および説明の便宜上、ＬＥＤ照明装置の照射面を上に向けた状態（図１および図２参照）に配置したときの上方（または上／上部）および下方（または下／下部）を指している。
【００１４】
図１、図２および図９に示すように、照明装置１は、図示しないＬＥＤ（発光ダイオード）を収容する照明装置本体２と、その一端が照明装置本体２の長手方向の一端に連結され、照明装置本体２を回動自在に支持する回動支持ユニット３と、回動支持ユニット３の他端を回動自在に支持するとともに、照明装置本体２が回動支持ユニット３を介して取り付けられるベース４とを備えている。
【００１５】
照明装置本体２は、厚みの薄い概略箱状の部材であって、ＬＥＤやレンズユニット等が搭載された基板が内部に取り付けられるボディ２０と、ボディ２０の上部開口を覆うカバー２１とを有している。
【００１６】
カバー２１の上面には、窓部２１ａが開口形成されており、窓部２１ａには、透明または半透明等のガラスや樹脂、セラミック等からなり、光透過性を有する透光性プレート２２が装着されている。ボディ２０の幅方向両側部には、長手方向に延びる一対の溝２０ａが形成されている。カバー２１の幅方向の両側縁部は、下方に略Ｌ字状に折り曲げられた一対の折曲部を有している。各折曲部の上下方向の延設部２１Ａは、ボディ２０の幅方向の両側面に沿って配設されており、各折曲部の幅方向の延設部２１Ｂは、ボディ２０の各溝２０ａ内に挿入されている。各延設部２１Ｂには、ボディ２０の底面側から各溝２０ａに貫通する貫通孔（図示せず）に挿入されたねじ２５（図６）が螺合している（図８参照）。ねじ２５を締め付けることにより、カバー２１が下方に引っ張られ、カバー２１がボディ２０の上部開口にパッキン等のシール部材（図示せず）を介して圧接するようになっている。これにより、照明装置本体２の内部空間が外部の周囲環境に対して密にシールされており、気密構造が確保されている。
【００１７】
ボディ２０の長手方向の一端の幅方向両側部には、二股状のブラケット部２３、２４が設けられている。各ブラケット部２３、２４にはそれぞれ貫通孔２３ａ、２４ａが形成されており、これらの貫通孔２３ａ、２４ａの各中心を通る軸線が、照明装置本体２を上下方向に回動自在に支持する第１の軸線Ｃ１を構成している。各貫通孔２３ａ、２４ａには、照明装置本体２を第１の軸線Ｃ１の回りに回動自在に支持する第１の支軸部として機能するボルト５０、５１がそれぞれ挿入されている。
【００１８】
回動支持ユニット３は、二股状のブラケット部３０をその一端に有している。各ブラケット部３０は、照明装置本体２のボディ２０の各ブラケット部２３、２４間の空間領域内に嵌り込むように（すなわち各ブラケット部３０が各ブラケット部２３、２４と幅方向にオーバラップするように）設けられている。各ブラケット部３０には、それぞれねじ孔３０ａが形成されており、各ねじ孔３０ａにはボルト５０、５１が螺合するようになっている。照明装置本体２の各ブラケット部２３、２４がボルト５０、５１により回動支持ユニット３の各ブラケット部３０に連結された状態において、各ねじ孔３０ａの各中心軸線は第１の軸線Ｃ１を構成している。回動支持ユニット３の他端には、円柱形状の軸部３１が設けられている。
【００１９】
ベース４は、回動支持ユニット３の軸部３１が挿入されるハウジング穴４０ａが形成されたハウジング部４０と、ハウジング部４０の下部が連結されたベース板部４１とを有している。ベース板部４１には、当該照明装置１を天井面や壁面等に取り付けるための取付ボルトが挿入される複数の取付孔４１ａが形成されている。
【００２０】
ハウジング部４０のハウジング穴４０ａは、回動支持ユニット３の軸部３１の外周面が回転摺動する内周面を有している。すなわち、ハウジング部４０のハウジング穴４０ａおよび回動支持ユニット３の軸部３１の各中心軸線は、回動支持ユニット３（および照明装置本体２）をその中心軸線回りに回動自在に支持する第２の軸線Ｃ２を構成している。第１、第２の軸線Ｃ１、Ｃ２は互いに直交している（図３ないし図５参照）。回動支持ユニット３の軸部３１は、照明装置本体２を第２の軸線Ｃ２の回りに回動自在に支持する第２の支軸部として機能している。
【００２１】
回動支持ユニット３は、各ブラケット部３０および軸部３１の間にフランジ部３２を有しており、各ブラケット部３０および軸部３１は、好ましくは、フランジ部３２の一端側および他端側においてフランジ部３２と一体に設けられている。回動支持ユニット３のフランジ部３２は上下方向に半円状に張り出すとともに幅方向に矩形状に張り出しており、軸部３１がベース４のハウジング穴４０ａに挿入された際にハウジング穴４０ａの開口端面に当接するようになっている（図３ないし図５参照）。
【００２２】
図１０および図１１に示すように、回動支持ユニット３のフランジ部３２は円柱形状のボス部３２Ａを有しており、ボス部３２Ａは軸部３１と同芯に配置されるとともに軸部３１と同一の径を有している。回動支持ユニット３の軸部３１がベース４のハウジング穴４０ａに挿入される際には、ボス部３２Ａも併せて挿入されており、ハウジング穴４０ａの内周面には、回動支持ユニット３の軸部３１およびボス部３２Ａの双方の外周面が回転摺動するようになっている。ボス部３２Ａおよび軸部３１の間には小径部３３が設けられており、小径部３３により、ボス部３２Ａおよび軸部３１間に間隙（つまり円周溝）ｅが形成されている。
【００２３】
ベース４のハウジング部４０には、ハウジング穴４０ａに貫通する複数のねじ孔４０ｂが形成されている（図９参照）。なお、図９に示す例では、各ねじ孔４０ｂは、第２の軸線Ｃ２を挟んで相対する２個所の位置に設けられている。各ねじ孔４０ｂにはねじ５２がそれぞれ螺合している。各ねじ５２の先端は、ハウジング穴４０ａ内に突出するとともに、ハウジング穴４０ａ内に挿入された回動支持ユニット３のボス部３２Ａおよび軸部３１の間隙ｅに係合している。これにより、回動支持ユニット３のベース４に対する抜け止めがなされている。
【００２４】
回動支持ユニット３の軸部３１は、ボス部３１Ａを有している。ボス部３１Ａは軸部３１と同芯に配置されている。回動支持ユニット３は、第２の軸線Ｃ２に沿って延びる貫通孔３ａを有している。貫通孔３ａの一端は、各ブラケット部３０間の空間領域内に開口しており、他端はボス部３１Ａの端面に開口している。貫通孔３ａの中心軸線は、好ましくは、第２の軸線Ｃ２と一致している。ベース４のハウジング部４０には、上下方向に延びるとともにベース板部４１の下面に開口する通路４０ｂが形成されており、通路４０ｂは、回動支持ユニット３の貫通孔３ａに連通している。これらの貫通孔３ａおよび通路４０ｂは、照明装置本体２の電源ケーブル６（図３ないし図８）を通すためのものである。図３ないし図８に示すように、電源ケーブル６は、照明装置本体２の長手方向の一端において幅方向中央部から取り出されて回動支持ユニット３の二股状のブラケット部３０の間を通り、第２の軸線Ｃ２に沿って配設されるとともに（図３参照）、回動支持ユニット３内部の貫通孔３ａからベース４の通路４０ｂに入って、下方から取り出されるようになっている。
【００２５】
次に、第１の軸線Ｃ１の回りの照明装置本体２の回動角度位置を固定する第１の角度固定機構について説明する。
図９、図１８ないし図２０に示すように、照明装置本体２のボディ２０の各ブラケット部２３、２４において各貫通孔２３ａ、２４ａの外周には、ねじ孔２３ｂ、２４ｂがそれぞれ貫通形成されている。ここでは、ブラケット部２３のねじ孔２３ｂが、第２の軸線Ｃ２と平行な線上において貫通孔２３ａを挟んで相対する２個所の位置に設けられ、ブラケット部２４のねじ孔２４ｂが、第２の軸線Ｃ２と平行な線上において貫通孔２４ａを挟んで相対する位置およびこれらの中間位置の３個所の位置に設けられている。各ねじ孔２３ｂ、２４ｂは、第１の軸線Ｃ１を中心とする円周上に配置されている。各ねじ孔２３ｂには、ねじ（第１の固定部材）５３、５３’が螺合しており、同様に、各ねじ孔２４ｂには、ねじ（第１の固定部材）５４、５４’、５４”が螺合している。ここでは、各ねじの例として、止めねじが用いられている。
【００２６】
回動支持ユニット３の各ブラケット部３０のうち、照明装置本体２側のブラケット部２３と相対するブラケット部３０のねじ孔３０ａの外周には、ねじ５３、５３’の先端が係止し得る複数の（第１の）係止孔３０ｂが形成されている。同様に、照明装置本体２側のブラケット部２４と相対するブラケット部３０のねじ孔３０ａの外周には、ねじ５４、５４’、５４”の先端が係止し得る複数の（第１の）係止孔３０ｂ’が形成されている。各係止孔３０ｂ、３０ｂ’は、各ねじ孔２３ｂ、２４ｂが配置された円周と同じ半径を有しかつ第１の軸線Ｃ１を中心とする円周上に配置されている。この例では、各係止孔３０ｂ、３０ｂ’が盲穴（有底穴）になっている。
【００２７】
ボディ２０のブラケット部２３と相対するブラケット３０においては、係止孔３０ｂは３個所の位置に設けられている（図９参照）。これらの係止孔３０ｂは、図１８に示すように、照明装置本体２が第１の軸線Ｃ１の回りに矢印Ｘ方向に回動する際、回動角度が２０°および６０°のときにねじ５３の先端が係止し得る位置、および、回動角度が４０°のときにねじ５３’の先端が係止し得る位置にそれぞれ配置されている。
【００２８】
ボディ２０のブラケット部２４と相対するブラケット３０においては、係止孔３０ｂ’は５個所の位置に設けられている。これらの係止孔３０ｂ’は、図１９に示すように、照明装置本体２が第１の軸線Ｃ１の回りに矢印Ｘ方向に回動する際、回動角度が３０°のときにねじ５４の先端が係止し得る位置、回動角度が０°、４５°および９０°のときにねじ５４’の先端が係止し得る位置、および、回動角度が８０°のときにねじ５４”の先端が係止し得る位置にそれぞれ配置されている。なお、図１９に示す回動角度０°の状態においては、ねじ５４’および５４”は、同図紙面奥側に配置された各係止孔３０ｂ’とオーバラップしており、これらの係止孔３０ｂ’は図に表されていない。
【００２９】
図１８および図１９から分かるように、この例では、各係止孔３０ｂ、３０ｂ’は、第１の軸線Ｃ１の方向から見てオーバラップしておらず（つまり整列しておらず）、互いにオフセットされている。すなわち、第１の軸線Ｃ１の一端側および他端側で軸線方向にオフセットされている。照明装置本体２を第１の軸線Ｃ１の回りに矢印Ｘ方向に回動させていく際に、各ねじ５３、５３’、５４、５４’、５４”がいずれかの係止孔３０ｂ、３０ｂ’とオーバラップした回動角度位置で、係止孔とオーバラップしたねじを締め込んでねじ先端を当該係止孔に係止させることにより、照明装置本体２をその回動角度位置に固定することができる。ここでは、回動角度が０°、２０°、３０°、４０°、４５°、６０°、８０°、９０°の位置で固定できるようにした例が示されている。
【００３０】
図１２および図１３には、回動角度が４５°の位置で固定した状態が示されており、図１４には、回動角度が９０°の位置で固定した状態が示されている。また、回動角度が０°の位置で固定した状態は、図１ないし図５、図１８、図１９に示されているが、このとき、照明装置本体２のボディ２０のブラケット部２３、２４の下部に直角状に張り出す張出部２３ｃ、２４ｃの側端面２３ｃ１、２４ｃ１が回動支持ユニット３のフランジ部３２の端面に当接しており、各側端面２３ｃ１、２４ｃ１は回動角度が０°の位置でのストッパ面として作用している。
【００３１】
また、照明装置本体２が回動支持ユニット３により第１の軸線Ｃ１の回りに回動する際に機能する第１のインデキシング（間欠送り）機構が設けられており、当該インデキシング機構について説明する。
【００３２】
図９に示すように、回動支持ユニット３のフランジ部３２の幅方向両端部には、一対のねじ孔３２ｂが形成されている（同図では一方のねじ孔のみが表れている）。各ねじ孔３２ｂには、図２０に示すように、ねじ（この例では穴付き止めねじ）５５が螺合している。この止めねじ５５は、ばねおよびボールを内蔵しており、先端のボールがばねの作用で出没自在に設けられている。また、同図に示すように、照明装置本体２のボディ２０の各ブラケット部２３、２４には、止めねじ５５のボールが係脱自在に弾性的に係合し得る複数の係合凹部２３ｄ、２４ｄがそれぞれ設けられている。各係合凹部２３ｄ、２４ｄは、各ブラケット部２３、２４の上面から先端面にかけて整列して配置されている。照明装置本体２が第１の軸線Ｃ１の回りに回動する際には、止めねじ５５先端のボールがいずれかの係合凹部２３ｄ、２４ｄに係合して仮止めされるとともに、係合後さらに照明装置本体２を回動させると、係合凹部２３ｄ、２４ｄに係合していたボールがその係合凹部から外れて別の係合凹部に係合するようになる。このようにして、第１のインデキシング機構による仮止め作用を利用して、照明装置本体２の回動時の送り量を制御でき、その結果、第１の角度固定機構による照明装置本体２の回動角度位置の固定をスムーズに行えるようになる。
【００３３】
次に、第２の軸線Ｃ２の回りの照明装置本体２の回動角度位置を固定する第２の角度固定機構について説明する。
図２１に示すように、回動支持ユニット３の軸部３１の端面には、第２の軸線Ｃ２との交点を中心としかつ半径が異なる２つの円周Ｐ１、Ｐ２の上に複数の（第２の）係止孔３１ａ、３１ｂがそれぞれ形成されている。第２の軸線Ｃ２を通り第１の軸線Ｃ１と直交する（ここでは、あくまで図２１の紙面上での話であって実際に直交している訳ではない）上下方向の中心線Ｃ３を引くとき、同図に示すように、照明装置本体２が第２の軸線Ｃ２の回りに回動していない状態（つまり回動角度０°の状態）においては、各係止孔３１ａは、中心線Ｃ３からの時計回りおよび反時計回りの角度が２０°、４０°、６０°、８０°の位置および０°の位置（つまり中心線Ｃ３上の位置）に配置されており、各係止孔３１ｂは、中心線Ｃ３からの時計回りおよび反時計回りの角度が４５°の位置および９０°の位置（つまり図２１の紙面上で第１の軸線Ｃ１上の位置）に配置されている。
【００３４】
一方、ベース４のハウジング部４０には、第２の軸線方向Ｃ２に沿って延びるとともに当該ハウジング部４０を貫通してハウジング穴４０ａ（図９）内に開口する２つの貫通孔４０ｃ、４０ｄが形成されている。貫通孔４０ｃは中心線Ｃ３と円周Ｐ１との交点に配置され、貫通孔４０ｄは中心線Ｃ３と円周Ｐ２との交点に配置されている。貫通孔４０ｃ、４０ｄには、ボルト（第２の固定部材）５６が挿入されるようになっており、いずれかの貫通孔４０ｃ、４０ｄに挿入されたボルト５６の先端は、照明装置本体２が第２の軸線Ｃ２の回りに回動する際に、その回動角度に応じて、対応するいずれかの係止孔３１ａ、３１ｂに係止するようになっている。ボルト５６の先端がいずれかの係止孔３１ａ、３１ｂに係止することにより、照明装置本体２の第２の軸線Ｃ２の回りの回動角度位置が固定される。
【００３５】
図１５および図２２には、回動角度がベース４側から見て時計回りに４５°の位置で固定した状態が示され、図１６には、回動角度がベース４側から見て時計回りに９０°の位置で固定した状態が示され、図１７には、回動角度がベース４側から見て反時計回りに９０°（つまり時計回りに−９０°）の位置で固定した状態が示されている。回動角度が０°の位置で固定した状態は図２１に示されている。回動角度が０°の位置では、貫通孔４０ｃに挿入されたボルト５６の先端が係止孔３１ａに係止しており、回動角度が４５°および±９０°の位置では、貫通孔４０ｄに挿入されたボルト５６の先端が係止孔３１ｂに係止している。また、図１７においては、照明装置本体２の下面（底面）側が表れており、下面に形成された放熱用の複数の溝２０ｂが示されている。
【００３６】
図２１および図２２に示すように、ベース４のハウジング部４０において回動支持ユニット３との対向面には、照明装置本体２の最大回動角度を±９０°に規制するための一対のストッパ部４０ｅ、４０ｅ’が設けられている。各ストッパ部４０ｅ、４０ｅ’は、ハウジング穴４０ａの下方において中心線Ｃ３を挟んで両側に配置されており、回動支持ユニット３側に突出している（図９参照）。なお、図９では、ストッパ部４０ｅのみが表れている。一方、回動支持ユニット３のフランジ部３２においてベース４のハウジング部４０との対向面には、ベース４側に突出する一対の係合突起３２ｃ、３２ｄが設けられている（図２、図２０参照）。照明装置本体２がベース４側から見て時計回りに９０°回動した際には、係合突起３２ｃがストッパ部４０ｅに係合することでそれ以上の回動が規制されており、照明装置本体２がベース４側から見て時計回りに−９０°（つまり反時計回りに９０°）回動した際には、係合突起３２ｄがストッパ部４０ｅ’に係合することでそれ以上の回動が規制されている。
【００３７】
また、照明装置本体２が回動支持ユニット３により第２の軸線Ｃ２の回りに回動する際に機能する第２のインデキシング（間欠送り）機構が設けられており、当該インデキシング機構について説明する。
【００３８】
図２１および図２２に示すように、ベース４のハウジング部４０において各ストッパ部４０ｅ、４０ｅ’の間には、ねじ孔４０ｆが形成されており、ねじ孔４０ｆには、ねじ（この例では穴付き止めねじ）５７が螺合している（図１１参照）。この止めねじ５７は、ばねおよびボール５７ａを内蔵しており、先端のボール５７ａがばねの作用で出没自在に設けられている。一方、回動支持ユニット３のフランジ部３２においてねじ５７との対向面には、止めねじ５７のボール５７ａが係脱自在に弾性的に係合し得る複数の係合凹部３２ｅが形成されている。各係合凹部３２ｅは、円周Ｐ１、Ｐ２と同芯の円周上に配置されている。照明装置本体２が第２の軸線Ｃ２の回りに回動する際には、止めねじ５７のボール５７ａがいずれかの係合凹部３２ｅに係合して仮止めされるとともに、係合後さらに照明装置本体２を回動させると、係合凹部３２ｅに係合していたボール５７ａがその係合凹部から外れて別の係合凹部に係合するようになる。このようにして、第２のインデキシング機構による仮止め作用を利用して、照明装置本体２の回動時の送り量を制御でき、その結果、第２の角度固定機構による照明装置本体２の回動角度位置の固定をスムーズに行えるようになる。
【００３９】
上述した照明装置１の使用の際には、天井面や壁面等の取付面にベース４のベース板部４１を配置した状態で、取付孔４１ａに挿入した取付ボルト（図示せず）により、取付面に取り付けられる。そして、この取付状態から、照明装置本体２を回動支持ユニット３の第１、第２の軸線Ｃ１、Ｃ２の回りにそれぞれ適宜回動させることにより、照明装置本体２の照射面が所望の向きに向けられる。
【００４０】
このように本実施例によれば、回動支持ユニット３により、照明装置本体２が異なる第１、第２の軸線Ｃ１、Ｃ２の回りに回動自在に支持されるので、照明装置本体２の照射面を様々な向きに向けることができ、照射角度をフレキシブルに変えることができるようになって、より細やかな調整が可能になる。しかも、本実施例では、回動支持ユニット３が第１および第２の軸線Ｃ１、Ｃ２を有する一体のユニットから構成されているので（図９参照）、回動支持ユニット３をコンパクトに構成して、装置全体をコンパクトに構成でき、構造を簡略化できる。
【００４１】
本実施例では、回動支持ユニット３の第１、第２の軸線Ｃ１、Ｃ２が互いに直交しているので（図３ないし図５参照）、各軸線Ｃ１、Ｃ２を同一平面内に配置することができ、これにより、回動支持ユニット３を一層小型化でき、装置全体をさらにコンパクトに構成できる。
【００４２】
本実施例では、第１の軸線Ｃ１の回りの照明装置本体２の回動角度位置を固定する第１の角度固定機構が設けられているので（図１８、図１９中のねじ５３、５３’、５４、５４’、５４”および複数の係止孔３０ｂ、３０ｂ’参照）、照明装置本体２を第１の軸線Ｃ１の回りに所望角度だけ回動させた後、第１の角度固定機構を構成するねじ５３、５３’、５４、５４’、５４”の先端を対応するいずれかの係止孔３０ｂ、３０ｂ’に係止させることにより、照明装置本体２を第１の軸線Ｃ１の回りで所望の回動角度位置に固定することができる。
【００４３】
本実施例では、第１の角度固定機構を構成する係止孔３０ｂ、３０ｂ’がそれぞれ複数個設けられているので（図１８、図１９参照）、照明装置本体２の第１の軸線Ｃ１の回りの回動角度位置を微調整できる。
【００４４】
本実施例では、第１の角度固定機構を構成する係止孔３０ｂ、３０ｂ’を第１の軸線方向から見てオーバラップする（つまり整列する）ことなく、互いにオフセットした位置に配置するようにしたことにより、同一径の各円周上により多くの係止孔３０ｂ、３０ｂ’を配置できるようになり、これにより、より細やかな微調整が可能になる。また、同じ数の係止孔を同一円周上に配置しようとすると、円周の径が大きくなって各ブラケット部２３、２４が大形化することになるが、本実施例のように、係止孔３０ｂ、３０ｂ’の位置をオフセットさせることで、係止孔３０ｂ、３０ｂ’が配置されるそれぞれの円周を小さくすることができ、これにより、各ブラケット部２３、２４を小型化でき、その結果、照明装置本体２ひいては照明装置１を小型化できる。
【００４５】
本実施例では、第２の軸線Ｃ２の回りの照明装置本体２の回動角度位置を固定する第２の角度固定機構が設けられているので（図２１、図２２中のボルト５６および係止孔３１ａ、３１ｂ参照）、照明装置本体２を第２の軸線Ｃ２の回りに所望角度だけ回動させた後、第２の角度固定機構を構成するボルト５６の先端を対応するいずれかの係止孔３１ａ、３１ｂに係止させることにより、照明装置本体２を第２の軸線Ｃ２の回りで所望の回動角度位置に固定することができる。
【００４６】
本実施例では、照明装置本体２が第１の軸線Ｃ１の回りに回動する際に、照明装置本体２に対して所定のピッチずつ間欠送りを行うように作用する第１のインデキシング（間欠送り）機構が設けられているので（図２０中の止めねじ５５および係合凹部２３ｄ、２４ｄ参照）、照明装置本体２を第１の軸線Ｃ１の回りに回動させる際に、照明装置本体２がその自重等によって不用意に所望角度以上回動するのを抑制でき、これにより、第１の角度固定機構による照明装置本体２の回動角度位置の固定をスムーズに行えるようになる。
【００４７】
本実施例では、照明装置本体２が第２の軸線Ｃ２の回りに回動する際に、照明装置本体２に対して所定のピッチずつ間欠送りを行うように作用する第２のインデキシング（間欠送り）機構が設けられているので（図１１中の止めねじ５７および図２１中の係合凹部３２ｅ参照）、照明装置本体２を第２の軸線Ｃ２の回りに回動させる際に、照明装置本体２が不用意に所望角度以上回動するのを抑制でき、これにより、第２の角度固定機構による照明装置本体２の回動角度位置の固定をスムーズに行えるようになる。
【００４８】
本実施例では、電源ケーブル６が第２の軸線Ｃ２に沿って配設されているので（図３参照）、照明装置本体２が第２の軸線Ｃ２の回りに回動する際に、電源ケーブル６に捩じれが生じたり、無理な引っ張りが作用したりすることがなく、電源ケーブル６およびその接続個所に断線等の不具合が生じるのを防止できる。
【００４９】
以上、本発明に好適な実施例について説明したが、本発明の適用はこれに限定されるものではなく、本発明には種々の変形例が含まれる。以下に変形例のいくつかの例を挙げておく。なお、各変形例を示す図面において、前記実施例と同一符号は同一または相当部分を示している。
【００５０】
〔第１の変形例〕
前記実施例では、本発明の好ましい態様として、照明装置本体２を第１の軸線Ｃ１の回りに回動自在に支持する第１の支軸部として、一対のボルト５０、５１を用いた例を示したが（図９参照）、本発明は、第１の支軸部を単一のボルトから構成するようにしてもよい。
【００５１】
〔第２の変形例〕
前記実施例では、本発明の好ましい態様として、回動支持ユニット３に二股状のブラケット部３０を設け、各ブラケット部３０の間に電源ケーブル６を通すようにした例を示したが（図３参照）、ブラケット部３０は二股状に分岐していなくてもよい。この場合、単一のブラケット部３０には、電源ケーブル６が挿通する貫通孔が形成される。
【００５２】
〔第３の変形例〕
前記実施例では、本発明の好ましい態様として、照明装置本体２のボディ２０の長手方向の一端に設けた二股状のブラケット部２３、２４の間に回動支持ユニット３の二股状のブラケット部３０を挿入して連結するようにした例を示したが（図１参照）、本発明の適用はこれに限定されない。
【００５３】
照明装置本体２のボディ２０の長手方向の一端の幅方向中央部に単一のブラケット部を設けるとともに、当該ブラケット部を回動支持ユニット３において間隔を拡げた二股状のブラケット部３０の間に挿入するようにしてもよい。この場合、第１の固定部材としてのねじ５３、５３’、５４、５４’、５４”が螺合するねじ孔は回動支持ユニット３のブラケット部３０に形成され、各ねじ５３、５３’、５４、５４’、５４”の先端がそれぞれ係止し得る第１の係止孔は照明装置本体２のボディ２０の単一のブラケット部に形成される。
【００５４】
〔第４の変形例〕
前記実施例では、本発明の好ましい態様として、回動支持ユニット３の第１および第２の軸線Ｃ１、Ｃ２が互いに直交していて同一平面上に配設されている例を示したが（図３ないし図５参照）、本発明の適用はこれに限定されない。各軸線Ｃ１、Ｃ２は直交していなくてもよい。たとえば、第１の軸線Ｃ１を、第２の軸線Ｃ２の上方または下方に第２の軸線Ｃ２との間に間隔を隔てて配設するようにしてもよい。この場合、平面方向から見ると、各軸線Ｃ１、Ｃ２は直交しているように見えるが、正面方向から見ると、第１の軸線Ｃ１と第２の軸線Ｃ２との間には間隙が形成されており、各軸線Ｃ１、Ｃ２は直交していない。
【００５５】
〔第５の変形例〕
前記実施例では、照明装置本体２の第１の軸線Ｃ１の回りの回動角度位置を固定する第１の角度固定機構において、本発明の一態様として、照明装置本体２のボディ２０のブラケット部２３に２つのねじ５３、５３’が設けられ、ブラケット部２４に３つのねじ５４、５４’、５４”が設けられた例を示したが（図１８、図１９参照）、これらのねじの個数や配置は、前記実施例に示すものには限定されず、種々の組合せが可能である。また、これらのねじの先端が係合する回動支持ユニット３の各ブラケット部３０側の各係止孔３０ｂ、３０ｂ’についても、その個数や配置は、前記実施例に示すものには限定されず、種々の組合せが可能であり、照明装置本体２のボディ２０のブラケット部２３、２４側のねじの組合せに応じて、適宜設定される。
【００５６】
〔第６の変形例〕
前記実施例では、本発明の好ましい態様として、回動支持ユニット３の各ブラケット部３０の各係止孔３０ｂ、３０ｂ’が、第１の軸線Ｃ１の方向から見てオーバラップせずに（つまり整列することなく）、互いにオフセットされた例を示したが（図１８、図１９参照）、本発明の適用はこれに限定されない。各係止孔３０ｂ、３０ｂ’は、第１の軸線Ｃ１の方向から見てオーバラップした位置に配置するようにしてもよい。
【００５７】
〔第７の変形例〕
前記実施例では、照明装置本体２の第２の軸線Ｃ２の回りの回動角度位置を固定する第２の角度固定機構において、本発明の一態様として、回動支持ユニット３の軸部３１の端面の２つの円周Ｐ１、Ｐ２上に形成される各係止孔３１ａ、３１ｂが図２１に示すような位置に配置された例を示したが、これらの係止孔３１ａ、３１ｂの配置はこれには限定されず、種々の配置が可能である。
【００５８】
〔第８の変形例〕
前記実施例では、本発明の好ましい態様として、照明装置本体２が回動支持ユニット３により第１、第２の軸線Ｃ１、Ｃ２の回りに回動する際の第１、第２のインデキシング（間欠送り）機構をそれぞれ設けた例を示したが、これら第１、第２のインデキシングのいずれかまたは双方を省略することも可能である。
【００５９】
〔第９の変形例〕
前記実施例では、第１、第２の角度固定機構に加えて第１、第２のインデキシング機構を設けた例を示したが、本発明の適用はこれに限定されない。第１、第２の角度固定機構としてそれぞれインデキシング機能を有するものを採用するようにしてもよい。
【００６０】
この場合、第１の角度固定機構を構成するねじ５３、５３’、５４、５４’、５４”として、穴付き止めねじ５５、５７と同様にばねおよびボールを内蔵した穴付き止めねじを用い、先端のボールが対応する係止孔３０ｂ、３０ｂ’に係脱自在に弾性的に係合するようにすればよい。同様に、第２の角度固定機構を構成するボルト５６として、穴付き止めねじ５５、５７と同様にばねおよびボールを内蔵した穴付き止めねじを用い、先端のボールが対応する係止孔３１ａ、３１ｂに係脱自在に弾性的に係合するようにすればよい。
【００６１】
〔その他の変形例〕
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００６２】
〔他の適用例〕
前記実施例および前記各変形例においては、照明装置として、ＬＥＤ照明装置を例にとって説明したが、本発明の適用はこれに限定されるものではなく、本発明は、たとえば有機ＥＬ照明ユニットなどを含む面発光照明装置やその他の照明装置にも同様に適用可能である。
【産業上の利用可能性】
【００６３】
本発明は、照明装置に有用であり、とくに、照射角度をフレキシブルに変えられるコンパクトな照明装置に適している。
【符号の説明】
【００６４】
１：  ＬＥＤ照明装置（照明装置）
２：  照明装置本体
３：  回動支持ユニット
３０ｂ、３０ｂ’：  （第１の）係止孔
３１：  軸部（第２の支軸部）
３１ａ、３１ｂ：  （第２の）係止孔
４：  ベース
５０、５１：  ボルト（第１の支軸部）
５３、５３’：  ねじ（第１の固定部材）
５４、５４’、５４”：  ねじ（第１の固定部材）
５６：  ボルト（第２の固定部材）    
Ｃ１：  第１の軸線
Ｃ２：  第２の軸線
【先行技術文献】
【特許文献】
【００６５】
【特許文献１】特開２０１０−９２６９４号公報（同公報の段落［００２５］〜［００２８］および図１〜図３参照）
【図１】
2016213071.tif 000003
【図２】
2016213071.tif 000004
【図３】
2016213071.tif 000005
【図４】
2016213071.tif 000006
【図５】
2016213071.tif 000007
【図６】
2016213071.tif 000008
【図７】
2016213071.tif 000009
【図８】
2016213071.tif 000010
【図９】
2016213071.tif 000011
【図１０】
2016213071.tif 000012
【図１１】
2016213071.tif 000013
【図１２】
2016213071.tif 000014
【図１３】
2016213071.tif 000015
【図１４】
2016213071.tif 000016
【図１５】
2016213071.tif 000017
【図１６】
2016213071.tif 000018
【図１７】
2016213071.tif 000019
【図１８】
2016213071.tif 000020
【図１９】
2016213071.tif 000021
【図２０】
2016213071.tif 000022
【図２１】
2016213071.tif 000023
【図２２】
2016213071.tif 000024